(57)【特許請求の範囲】
【請求項１】
測定された酵素活性が１ＬＵ／ｇ以上であるリパーゼと吸湿剤を少なくとも含有し、硬質面の表面に塗布された後、前記吸湿剤により空気中の水分を吸着して、この水分により前記リパーゼを活性化させ、前記表面に防汚効果を付与することを特徴とする防汚塗布剤。
【請求項２】
前記リパーゼの安定化剤を添加した請求項１に記載の防汚塗布剤。
【請求項３】
前記リパーゼの固定化剤を添加した請求項１又は２に記載の防汚塗布剤。
【請求項４】
溶剤を添加して液体防汚塗布剤にした請求項１、２又は３に記載の防汚塗布剤。
【請求項５】
前記液体防汚塗布剤中にアルカリ剤及び／又は界面活性剤を添加した請求項４に記載の防汚塗布剤。
【請求項６】
前記リパーゼの含有量が０．００１ｍａｓｓ％〜１０ｍａｓｓ％、前記吸湿剤の含有量が１ｍａｓｓ％〜８０ｍａｓｓ％である請求項１〜５のいずれかに記載の防汚塗布剤。
【発明の詳細な説明】
【技術分野】
【０００１】
本発明は、防汚洗浄剤に関し、更に詳細には、少なくとも油脂分解酵素を含有し、対象物の油脂成分を空気中の水分を取り込みながら分解し続けていく防汚洗浄剤である。
【背景技術】
【０００２】
キッチンの流し台、ワークトップ、壁面等は、食用油や食材由来の油汚れ等の油脂成分を含む様々な汚れが付着する。これらの汚れに対しては、汚れを落とすと共に汚れが付着することを防止・軽減する防汚効果を持つことが求められる。特開２００１−２７１０９４公報（特許文献１）には、共重合高分子と界面活性剤を含有する防汚洗浄剤組成物が記載され、ステンレス、ホーロー、タイル、ガラス、陶磁器等の硬質面の洗浄と防汚作用を有することが記載されている。
【０００３】
油脂成分を含む汚れを洗浄する組成物には、界面活性剤と共に油脂分解酵素であるリパーゼを含有するものがある。特表２００１−５０１２４４公報（特許文献２）には、リパーゼと界面活性剤を含有する表面洗浄剤が記載されている。油脂分解酵素は、自然界に広く存在し、安全性が高く、化粧品、医薬品などにも用いられている。また、酵素の不安定性を解消するため、特許文献２では、安定化剤としてグリコール、ホウ酸塩又はカルボン酸などを添加することが記載されている。
【特許文献１】特開２００１−２７１０９４公報
【特許文献２】特表２００１−５０１２４４公報
【発明の開示】
【発明が解決しようとする課題】
【０００４】
特許文献１には、界面活性剤と共に、アニオン性基含有ビニル系単量体、カチオン性基含有ビニル系単量体及びノニオン性ビニル系単量体からなる共重合高分子成分を含む硬質表面用の防汚洗浄剤が記載されている。また、近年、人により優しく安全性の高い洗浄剤が求められていた。特許文献２に記載されるリパーゼのような油脂分解酵素は、化粧品や医薬品等にも用いられており、洗浄剤としての安全性を向上させることは可能であるが、その安定性や防汚洗浄剤として対象物に塗布した場合、いかに安定化させ、油脂分解酵素の活性を持続的に保持させることが困難であった。また、酵素の分解作用を発揮させるためには、好適な水分を保持する必要があり、塗布後に水分が失われると、対象物に固定化された油脂分解酵素が失活し、初期の酵素効果が得られない。
【０００５】
従って、本発明の目的は、安全性の高い油脂分解酵素を含有し、酵素の油脂分解作用が失活することなく、対象物の洗浄と共に防汚効果を有する防汚洗浄剤を提供することである。
【課題を解決するための手段】
【０００６】
本発明は、上記課題を解決するためになされたものであって、本発明の第１の形態は、油脂分解酵素と吸湿剤を少なくとも含有する防汚洗浄剤である。
【０００７】
本発明の第２の形態は、第１の形態において、前記油脂分解酵素の酵素活性が1ＬＵ／ｇ以上である防汚洗浄剤である。
【０００８】
本発明の第３の形態は、第１又は２の形態において、前記油脂分解酵素の安定化剤を添加した防汚洗浄剤である。
【０００９】
本発明の第４の形態は、第１、２又は３の形態において、前記油脂分解酵素の固定化剤を添加した防汚洗浄剤である。
【００１０】
本発明の第５の形態は、第１〜４のいずれかの形態において、溶剤を添加して液体防汚洗浄剤にした防汚洗浄剤である。
【００１１】
本発明の第６の形態は、第５の形態において、前記液体防汚洗浄剤中にアルカリ剤及び／又は界面活性剤を添加した防汚洗浄剤である。
【００１２】
本発明の第７の形態は、第１〜６のいずれかの形態において、前記油脂分解酵素の含有量が０．００１ｍａｓｓ％〜１０ｍａｓｓ％、前記吸湿剤の含有量が１ｍａｓｓ％〜８０ｍａｓｓ％である防汚洗浄剤である。
【発明の効果】
【００１３】
本発明の第１の形態によれば、油脂分解酵素と吸湿剤を少なくとも含有するため、吸湿剤により油脂分解酵素の活性に必要な水分を保持することができ、汚れとして付着する油脂成分を油脂分解酵素により高効率に分解することができる。従って、キッチンのレンジフード周り、換気扇周り、コンロ周り、壁周りや電子レンジ内、オーブン内、ファンの中などの油汚れに対する防汚・洗浄作用を格段に向上させることができる。ここで、油脂分解酵素とは、International Union of Biochemistry and Molecular Biology(IUBMB)の推薦（1992）に従って、Enzyme Classification 番号E.C.3.1.1(カルボン酸エステルヒドロラーゼ)下で分類された酵素を示す。従って、油脂分解酵素は、「モノ−、ジ−及びトリグリセリド、リン脂質（すべての種類）、チオエステル、コレステロールエステル、ワックス−エステル、クチン、スベリン、合成エステル等、脂質に存在するエステル結合の少なくとも１つのタイプに対して加水分解活性を示すもの」である。油脂分解酵素は、リパーゼ、ホスホリパーゼ、エステラーゼ又はクチナーゼとして称せられて来たものである。前記吸湿剤としては、ポリカルボン酸ソーダやＤＬ−ピロリドンカルボン酸ソーダ、グリセリン（ジ・トリ・ペンタ・ポリ）、プロピレングリコールや１，３−ブチレングリコール等の多価アルコール、無機類では塩化カルシウムや塩化マグネシウム等が用いられる。
【００１４】
本発明の第２の形態によれば、前記油脂分解酵素の酵素活性が１ＬＵ／ｇ以上であるから、油汚れ等の油脂成分をより確実に分解することができる。一般に油脂と呼ばれる脂肪酸エステルは、所定の条件下でリパーゼによって加水分解される。この反応は酵素のエステラーゼ活性に由来するものである。リパーゼの酵素活性は、ＬＵ（リパーゼ・ユニット）で表記され、１ＬＵとは上記条件下において毎分１μｍolの酪酸を生成するために必要な酵素量を示している。従って、前記油脂分解酵素の酵素活性が１ＬＵ／ｇ以上であれば、防汚洗浄剤として実用に適した量の酵素を配合して、防汚洗浄剤を製造することができる。更に、油脂分解酵素の含有量は、１ＬＵ／ｇ〜２００ＫＬＵ／ｇであることがより好ましい。酵素洗剤など用いるため多量に販売されるリパーゼなどの油脂分解酵素は、２００ＫＬＵ／ｇ以下のものが殆どであることから、防汚洗浄剤の製造コストを増大させる可能性がある。
【００１５】
本発明の第３の形態によれば、前記油脂分解酵素に安定化剤を添加するため、油脂分解酵素の活性が保持され、好適な防汚効果を対象物に付与することができる。安定化剤としては、グリシン、リジン等のアミノ酸類、アガロース、ソルビット、マルチトール、キシリトール等の多糖類、グリセリン（ジ・トリ・ペンタ・ポリ）、プロピレングリコールや１，３−ブチレングリコール等の多価アルコールが用いられる。
【００１６】
本発明の第４の形態によれば、前記油脂分解酵素の固定化剤を添加するから、対象物に前記油脂分解酵素に固定化することができ、防汚効果を向上させることができる。また、前記油脂分解酵素は対象物に固定されることにより安定化され、酵素活性の失活を抑制することができる。前記油脂分解酵素の固定化方法としては、微生物の固定化にも用いられる包括法、物理的吸着法、共有結合法等多くの方法が知られているが、多糖類からなる固定化剤を用いる方法が好ましく、酵素を失活させることなく、かつ対象物に固定することができる。固定化剤としては、アガロースやポリエチレンイミンなどやその他のゲル化剤等を用いることができる。
【００１７】
本発明の第５の形態によれば、少なくとも油脂分解酵素と吸湿剤に溶剤を添加するため、液状の防汚洗浄剤を提供することができ、種々の対象物をより簡易に洗浄し、防汚作用を付与することができる。溶剤としては、植物油など酵素により分解生成された脂肪酸を溶かす種々の物質を用いることができる。溶剤としては、エチレングリコールモノメチルエーテル、エチレングリコールモノエチルエーテル、ジエチレングリコールモノブチルエーテル等のグリコール系溶剤やイソプロピルアルコール等のアルコール系溶剤が用いられる。
【００１８】
本発明の第６の形態によれば、前記液体洗剤中にアルカリ剤及び／又は界面活性剤を添加するから、界面活性剤で均一になった油滴を油脂分解酵素で分解し、生成された脂肪酸をアルカリ剤で中和し石鹸化して除去することができる。界面活性剤としては、アニオン性界面活性剤、カチオン性界面活性剤、両性界面活性剤、ノニオン性界面活性剤などから適宜選択することができるが、カチオン性界面活性剤の中には、酵素の蛋白質を変性させるものがあるため、選択には注意が必要である。アニオン性界面活性剤としては、硫酸アルキル塩、硫酸アルキルポリオキシエチレン塩、アルキルベンゼンスルホン酸塩、α−オレフィンスルホン酸塩、脂肪酸塩、α−スルホ脂肪酸塩、エーテルカルボン酸塩、リン酸アルキル塩、リン酸アルキルポリオキシエチレン塩、ジアルキルスルホコハク酸エステル塩、スルホコハク酸アルキル塩、アルケニルコハク酸塩、Ｎ−アシルアミノ酸塩、Ｎ−アシルメチルタウリン塩等がある。カチオン性界面活性剤としては、アルキルトリメチルアンモニウム塩、ジアルキルジメチルアンモニウム塩、アルキルアンモニウム塩、ベンザルコニウム塩、ベンゼトニウム塩、ピリジニウム塩、イミダゾリニウム塩等である。両性界面活性剤としては、アルキルカルボキシベタイン、アルキルスルホベタイン、アルキルヒドロキシスルホベタイン、アルキルアミドベタイン、イミダゾリニウムベタイン等がある。ノニオン性界面活性剤としては、ポリオキシエチレンアルキルエーテル、ポリオキシエチレンポリオキシプロピレンアルキルエーテル、ポリオキシエチレンアルキルフェニルエーテル、脂肪酸ポリグリセリンエステル、脂肪酸ショ糖エステル、脂肪酸アルカノールアミド、アルキルアミンオキサイド、アミドアミンオキサイド等がある。
【００１９】
本発明の第７の形態によれば、前記油脂分解酵素の含有量が０．００１ｍａｓｓ％〜１０ｍａｓｓ％であるから、酵素活性を高効率に利用することができる。０．００１ｍａｓｓ％より小さい場合、含有量が少な過ぎ、１０ｍａｓｓ％を超えると汚れ量とも関係するが全ての酵素を効率的に利用することが困難となり実用的でない。更に、前記吸湿剤の含有量が１ｍａｓｓ％〜８０ｍａｓｓ％である場合、防汚洗浄剤として油脂分解酵素の酵素活性に必要な水分を保持することができる。
【発明を実施するための最良の形態】
【００２０】
以下、本発明の第１の実施形態と第２の実施形態を例に挙げ、本発明に係る防汚洗浄剤について詳述する。
［第１の実施形態］
本発明の第１の実施形態は、油脂分解酵素、吸湿剤、酵素安定化剤、溶剤及び調整水を含有する防汚洗浄剤である。油脂分解酵素とは、前述のように、Enzyme Classification 番号E.C.3.1.1(カルボン酸エステルヒドロラーゼ)下で分類された酵素を示す。従って、油脂分解酵素は、「モノ−、ジ−及びトリグリセリド、リン脂質（すべての種類）、チオエステル、コレステロールエステル、ワックス−エステル、クチン、スベリン、合成エステル等、脂質に存在するエステル結合の少なくとも１つのタイプに対して加水分解活性を示すもの」である。脂肪分解酵素は、リパーゼ、ホスホリパーゼ、エステラーゼ又はクチナーゼとして称せられて来たものである。
【００２１】
本発明に係る防汚洗浄剤に配合される油脂分解酵素は、酵素活性が１ＬＵ／ｇ以上であれば、防汚洗浄剤として利用することが可能であり、油脂分解酵素であるリパーゼの酵素活性を測定している。防汚洗浄剤の洗浄対象物に応じて好適な防汚・洗浄効果が発揮されるよう所定の酵素活性を保持する油脂分解酵素が配合しており、以下にリパーゼに関する酵素活性の測定方法について詳述する。
【００２２】
一般に油脂と呼ばれる脂肪酸エステルは、温度約４０℃、ｐＨ約７．７、反応時間約２５分の条件下でリパーゼによって加水分解される。この反応は、酵素のエステラーゼ活性に由来するものであり、溶液は黄色を呈し、４０５ｎｍの吸光度で測定することによりリパーゼの酵素活性を測定することができる。リパーゼの酵素活性は、ＬＵ（リパーゼ・ユニット）で表記され、１ＬＵは上記条件下において毎分１μｍolの酪酸を生成するために必要な酵素量を示している。
【００２３】
トリスを用いた希釈用バッファによりリパーゼ標準酵素（novozymes社製、Lipolase標準酵素）を希釈して溶解させ、溶液中の酵素活性が５０ＬＵ／ｍｌになるように調整する。この酵素濃縮溶液１．０ｍｌを前記希釈用バッファにより１００ｍｌに希釈して酵素溶液の活性を約０．５０ＬＵ／ｍｌに調整し、標準酵素溶液とする。次にリパーゼを前記希釈用バッファにより酵素活性が０．０２５〜０．０４ＬＵ／ｍｌになるよう調整して、酵素活性の異なる複数の標準サンプル溶液を作製する。酵素サンプル溶液には、防汚洗浄剤のベースを標準酵素溶液に加える。尚、防汚洗浄剤のベースは、酵素が含まれる防汚洗浄剤を高温処理して用いても良い。
【００２４】
前記各検体溶液を２ｍｌづつ入れた試験管を約４０℃の高温槽に約２分間浸し、加温した標準酵素溶液に油脂成分として脂肪酸エステルの基質溶液２．５ｍｌを加え、攪拌して恒温槽に戻す。標準サンプルに基質を加えてから、約１５秒経過後、標準酵素溶液と同じく２．５ｍｌの基質溶液を加えて攪拌し、恒温槽に戻す。検体である標準酵素溶液と酵素サンプル溶液に対して上記の作業を繰り返す。即ち、１５秒間隔で基質溶液を添加し、４０℃でインキュベートする。前記基体溶液を追加してから２５分経過後、０℃〜４℃に冷却された脱イオン水５ｍｌを加えて攪拌する。この操作を１５秒間隔で繰り返し、分光光度計で測定されるまでの間、各検体は氷冷水に漬けておく。脱イン水で０点調整を行った後、４０５ｎｍにおける標準酵素溶液と酵素サンプル溶液の吸光度を測定している。
【００２５】
得られた標準酵素溶液の吸光度から、次式により計算を行う。
ΔＡ４０５＝Ａ４０５（検体の吸光度）−Ｂ４０５（ブランクの吸光度）
Ｘ軸側を標準酵素溶液の活性値ＬＵ／ｍｌとし、Ｙ軸にΔＡ４０５をプロットして標準酵素溶液の測定結果から検量線の直線式を導出する。検量線の直線式を用いて酵素サンプル溶液のΔＡ４０５から活性値ＬＵ／ｍｌを見積もる。更に、以下の式から、酵素サンプル溶液１ｇ中の活性値を算出する。
活性値＝Ａ×Ｂ／Ｃ
ここで、Ａは前記直線式から見積もられた１ｍｌ当たりの活性値、Ｂは酵素サンプル溶液の希釈倍率、Ｃはサンプル重量（ｇ）である。本発明に係る防汚洗浄剤は、酵素活性が１ＬＵ／ｇ以上の油脂分解酵素を用いている。
【００２６】
配合される油脂分解酵素の酵素活性が発現するためには、酵素と共に水分が存在する必要があり、防汚洗浄剤に配合される吸湿剤により水分が保持される。吸湿剤には、ポリカルボン酸ソーダやＤＬ−ピロリドンカルボン酸ソーダ、グリセリン（ジ・トリ・ペンタ・ポリ）、プロピレングリコールや１,３-ブチレングリコール等の多価アルコール、無機類では塩化カルシウムや塩化マグネシウム等が用いられる。
酵素の不安定性を解消するため、酵素安定化剤を配合される。酵素安定化剤としては、グリシン、リジン等のアミノ酸類、ソルビット、マルチトール、キシリトール等の多糖類、グリセリン（ジ・トリ・ペンタ・ポリ）、プロピレングリコールや１,３-ブチレングリコール等の多価アルコールが用いられる。更に、溶剤としては、エチレングリコールモノメチルエーテル、エチレングリコールモノエチルエーテル、ジエチレングリコールモノブチルエーテル等のグリコール系溶剤やイソプロピルアルコール等のアルコール系溶剤が用いられる。調整水としては、イオン交換樹脂、蒸留、逆浸透等により得られた精製水を用いることが好ましい。
【００２７】
表１には、本発明に係る防汚洗浄剤が油脂分解酵素（リパーゼ）を約０．００１ｍａｓｓ％〜１０ｍａｓｓ％含有する場合の配合比と配合成分を示す。使用したリパーゼの力価は１００ＫLＵ／ｇのである。実施例として示した試料１〜５の防汚洗浄剤では、表１に示すように油脂分解酵素であるリパーゼと共に吸湿剤としてＤＬ−ピロリドンカルボン酸ソーダが配合されている。前述のように、リパーゼの酵素活性が機能するためには水分が存在する必要があり、表１の防汚洗浄剤では、ＤＬ−ピロリドンカルボン酸ソーダにより水分が保持される。表１の試料１〜５は、リパーゼの配合量が０．００１ｍａｓｓ％〜１０ｍａｓｓ％の範囲に設定されており、試料１〜５の防汚洗浄剤は油汚れ等に対する防汚・洗浄効果があることが確認されている。０．００１ｍａｓｓ％未満の場合、洗浄後に明確に認識できる程度の防汚・洗浄効果が見られなかった。
また、リパーゼの配合量が１０ｍａｓｓ％を越えると、配合量の増加に伴う防汚・洗浄効果の増強が抑制される傾向にあることが確認されている。即ち、リパーゼの配合量が１０ｍａｓｓ％を越えると酵素活性が効率的に発現することが困難となってくると考えられ、吸湿剤や酵素安定化剤の配合量を適宜に調整することにより水分や酵素の安定性を付与する必要がある。前述のように、表に示す試料では、酵素活性が１００ＫLＵ／ｇのリパーゼが用いられており、リパーゼの配合量が１０ｍａｓｓ％である場合、酵素活性の失活が無ければ、防汚洗浄剤の酵素活性は１０ＫＬＵ／ｇとなる。同様に、酵素活性の失活が無ければ、リパーゼの配合量が０．００１ｍａｓｓ％である場合、防汚洗浄剤の酵素活性は１０ＬＵ／ｇとなり、防汚洗浄剤として利用可能な酵素活性が保持されることになる。
【００２８】
【表１】
0005149701.tif 000002
【００２９】
表２には、本発明に係る防汚洗浄剤が油脂分解酵素（リパーゼ）を約１mass％含有する場合の配合比と配合成分を示す。実施例として示した試料６〜１１の防汚洗浄剤では、表１の防汚洗浄剤と同様に、リパーゼと共に吸湿剤としてＤＬ−ピロリドンカルボン酸ソーダが配合されている。吸湿剤により水分が保持されるが、どの程度の吸湿剤が配合すれば、望ましい酵素活性が保持されるかを吸湿剤の配合量を変化させて防汚・洗浄効果を確かめている。台所用のステンレス素材及びタイル素材に防汚洗浄剤を塗布した後、植物油を用いて防汚効果を確認している。即ち、使用者が防汚効果を実感できる程度の効果があるかどうかを確認した。また、植物油を塗布した後、防汚洗浄剤により洗浄して確認を行っている。表２の試料６では、吸湿剤の配合量が約１ｍａｓｓ％に設定されているが、防汚・洗浄作用が確認されており、試料６〜試料１０ではより好ましい防汚・洗浄を有することを確認している。更に、吸湿剤が１ｍａｓｓ％未満の場合、防汚・洗浄効果を確認することが困難となる。試料１１では水の配合量を減らし、ほぼ吸湿剤だけで水分が保持されるものを想定して作製された試料である。試料１１を用いた場合においても防汚・洗浄効果を有することが確認されており、吸湿剤の配合により酵素活性が十分に保持されることを確かめている。油脂分解酵素、溶剤、酵素安定化剤などを配合することを考慮すれば、吸湿剤の配合比は、９０ｍａｓｓ％以下であることが好ましく、８０ｍａｓｓ％以下であることがより好ましい。
【００３０】
【表２】
0005149701.tif 000003
【００３１】
表３の試料１２〜１６は、リパーゼを約３ｍａｓｓ％含有する防汚洗浄剤であり、表４の試料１７〜２０は、リパーゼを約５ｍａｓｓ％含有する防汚洗浄剤である。表２と同様に、リパーゼと共に配合されるＤＬ−ピロリドンカルボン酸ソーダの配合比を変化させている。表３、表４に示すように、リパーゼの含有量が約３ｍａｓｓ％と約５ｍａｓｓ％の場合においても、前述の試験方法により防汚・洗浄効果があることが確認されている。更に、リパーゼの配合比を増加させる場合、吸湿剤の配合比を増加させることにより、防汚・洗浄効果が向上することを確認している。
【００３２】
【表３】
0005149701.tif 000004
【００３３】
【表４】
0005149701.tif 000005
【００３４】
［第２の実施形態］
本発明に第２の実施形態は、第１の実施形態に含まれる油脂分解酵素、吸湿剤、酵素安定化剤、溶剤及び調整水と共に、界面活性剤、アルカリ剤が配合される防汚洗浄剤である。表５に示すように、油脂分解酵素としてはリパーゼ        （novozymes社製、LIPEX）、吸湿剤にはグリセリンとピロリドンカルボン酸ナトリウム（ＰＣＡ−Ｎａ）、酵素安定化剤にはアガロース、溶剤には３−メトキシ−３−メチルブタノ−ル、調整剤として精製水、界面活性剤には、モノオレイン酸ポリオキシエチレンソルビタン（日本油脂（株）製、商品名：ノニオンOT−221）、アルカリ剤として重炭酸ソーダが配合されている。尚、安定化剤として配合されたアガロースには固定化剤としての機能も有し、対象物にリパーゼを固定化することができる。界面活性剤によって油脂成分を均一に分散させ、リパーゼにより分解し、この過程で生成された脂肪酸をアルカリ剤で中和し石鹸化することにより、高効率に油脂成分からなる汚れを除去することができる。
【００３５】
【表５】
0005149701.tif 000006
【産業上の利用可能性】
【００３６】
本発明に係る防汚洗浄剤によれば、吸湿剤により油脂分解酵素の活性に必要な水分が保持されるから、油脂分解酵素の酵素活性により油脂成分を高効率に分解することができる。更に、安定化剤を添加すれば、油脂分解酵素が対象物に安定に固定され、好適な防汚効果を保持することができる。従って、キッチンのレンジフード周り、換気扇周り、コンロ周り、壁周りや電子レンジ内、オーブン内、ファンの中などの油汚れに対する防汚・洗浄作用を格段に向上させることができる。